(57)【要約】【課題】支持台の上部に送風機が、不安定な状態で置かれることを抑制する支持台を提供することを目的とする。【解決手段】送風機２を支持する支持台１であって、支持台１は、電源コード２０を備え、電源コード２０と電気的に接続され支持台１の上部から延びた中継コード２６を備えている。中継コード２６は、送風機２の接続端子部３０に電気的に接続可能である。中継コード２６の長さは、支持台１の周縁部に送風機２を置いた場合に、送風機２の重心が支持台１の周縁部より外方に位置した状態で、中継コード２６によって送風機２が支持台１の上に自立する場合の中継コード２６の長さより短いことを特徴とする。【選択図】図６
2017172365.tif 000002
【特許請求の範囲】
【請求項１】
送風機を支持する支持台であって、
前記支持台は、
電源コードを備え、
前記電源コードと電気的に接続され前記支持台の上部から延びた中継コードを備え、
前記中継コードは、
前記送風機の接続端子部に電気的に接続可能であり、
前記中継コードの長さは、
前記支持台の周縁部に前記送風機を置いた場合に、
前記送風機の重心が前記支持台の前記周縁部より外方に位置した状態で、
前記中継コードによって前記送風機が前記支持台の上に自立する場合の前記中継コードの長さより短いことを特徴とする支持台。
【請求項２】
前記中継コードの長さは、
前記支持台の前記周縁部に前記送風機を置いた場合に、
前記送風機の重心が前記支持台の前記周縁部より外方に位置した状態で、
前記中継コードによって前記支持台と前記送風機とが転倒する長さより短いことを特徴とする請求項１に記載の支持台。
【請求項３】
前記中継コードの長さは、
前記支持台に前記送風機を斜め下方に送風するように置いた場合に、
前記送風機の重心が前記支持台の前記周縁部より内方に位置した状態で、
前記送風機が前記支持台の上に自立する長さより長いことを特徴とする請求項１または２に記載の支持台。
【発明の詳細な説明】
【技術分野】
【０００１】
本発明は、例えば、送風により清涼感を与えたり空間内の空気循環を促したりする送風機を支持する支持台に関するものである。
【背景技術】
【０００２】
従来この種の支持台は支持台の上部に送風機が置かれ、支持台の回動により送風機が回動し送風方向を変えるものが知られていた（例えば特許文献１参照）。
【０００３】
支持台は、モータを備えた本体ケースと、本体ケースの上方にモータによって回動する回動体とを備えている。回動体の上部には、球形の送風機を備えていた。
【先行技術文献】
【特許文献】
【０００４】
【特許文献１】特開２０１５−１７５３０９号公報
【発明の概要】
【発明が解決しようとする課題】
【０００５】
このような従来の支持台においては、支持台の上部に送風機が、不安定な状態で置かれることがある。この不安定な状態のバランスが崩れると、支持台から送風機が落下することが考えられる。
【０００６】
そこで本発明は、支持台の上部に送風機が、不安定な状態で置かれることを抑制する支持台を提供することを目的とする。
【課題を解決するための手段】
【０００７】
上述の目的を達成するために、本発明は、送風機を支持する支持台であって、前記支持台は、電源コードを備え、前記電源コードと電気的に接続され前記支持台の上部から延びた中継コードを備え、前記中継コードは、前記送風機の接続端子部に電気的に接続可能であり、前記中継コードの長さは、前記支持台の前記周縁部に前記送風機を置いた場合に、前記送風機の重心が前記支持台の前記周縁部より外方に位置した状態で、前記中継コードによって前記送風機が前記支持台の上に自立する場合の前記中継コードの長さより短いことを特徴とし、これにより所期の目的を達成するものである。
【発明の効果】
【０００８】
本発明に係る送風装置によれば、送風機を支持する支持台であって、前記支持台は、電源コードを備え、前記電源コードと電気的に接続され前記支持台の上部から延びた中継コードを備え、前記中継コードは、前記送風機の接続端子部に電気的に接続可能であり、前記中継コードの長さは、前記支持台の前記周縁部に前記送風機を置いた場合に、前記送風機の重心が前記支持台の前記周縁部より外方に位置した状態で、前記中継コードによって前記送風機が前記支持台の上に自立する場合の前記中継コードの長さより短いことを特徴とするものである。
【０００９】
このように、中継コードの長さは、支持台の周縁部に送風機を置いた場合に、送風機の重心が支持台の周縁部より外方に位置した状態で、中継コードによって送風機が支持台の上に自立する長さより短い。これにより、支持台の周縁部に送風機を置いた場合に、送風機の重心が支持台の周縁部より内方に位置した状態で、送風機が支持台の上に自立するので、送風機が、支持台の上部に不安定な状態で置かれることを抑制できる。
【図面の簡単な説明】
【００１０】
【図１】本発明の実施の形態１に係る送風機と支持台の斜視図
【図２】同支持台の斜視図
【図３】同支持台の断面図
【図４】同支持台の分解図
【図５】同支持台の断面図
【図６】同支持台と送風機の斜視図
【発明を実施するための形態】
【００１１】
（実施の形態１）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態１に係る支持台について説明する。
【００１４】
図１は、本発明の実施の形態１に係る送風機と支持台の外観図である。図２は、本発明の実施の形態１に係る支持台の外観図である。
【００１５】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１６】
送風機２は、略球体形状をなしており、球体の中心を仮想的に貫通する中心軸５１を軸中心としている。中心軸５１は球体の送風側極５２と、送風側極５２に対向する吸込側極５３とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００１７】
また、送風機２は、球体の両極（送風側極５２、吸込側極５３）と等距離の位置にて、中心軸５１と垂直な切断面５４で、略半球体状の第一フレーム５５と、同じく略半球体状の第二フレーム５６とに２等分されている。
【００１８】
第一フレーム５５は、送風側極５２を備え、中空形状を成しており、すなわち半球面構造を成す。また、第一フレーム５５には、中心軸５１に垂直な面で構成される円形の開口部５７が送風側極５２近傍に設けられている。なお、ここでいう近傍とは、厳密には送風側極５２は球の周上にあるため、開口部５７が属する平面上とは一致しないことによる表現である。従って、特に開口部５７が送風側極５２を含んでいるという表現としても差し支えない。さらに、第一フレーム５５は、送風側極５２を中心として中心軸５１の周方向に等間隔に設けられた誘引空気吸込口５８を複数個（本実施の形態１では６個）備えている。
【００１９】
開口部５７は、その内部に環状の隙間である空気吹出口５９と、この空気吹出口５９の内部に円形の開口である誘引空気吹出口６０とを備えている。
【００２０】
誘引空気吸込口５８は、同一径の円形を成しており、各円の中心は中心軸５１を中心とした同一周上（中心軸５１に垂直である同一断面上）に位置している。ただし、隣接する誘引空気吸込口５８とは接触しておらず、すなわちそれぞれ独立することにより、内部空間に後述する複数の送風路を確保している。
【００２１】
第二フレーム５６は、吸込側極５３を備え、中空形状を成しており、すなわち半球面構造を成す。また、第二フレーム５６は、吸込側極５３の周囲に空気吸込口６１を備えている。
【００２２】
送風機２は、空気吸込口６１と空気吹出口５９とを備え、空気吸込口６１と空気吹出口５９とを連通する風路に高圧空気発生装置（図示せず）を設けている。
【００２３】
以上の構成の送風機における空気の流れを説明する。高圧空気発生装置によって、空気吸込口６１から風路に空気が吸い込まれる。この吸い込まれた空気が、空気吹出口５９より吹き出された環状の気流となる。この環状の気流は、誘引効果によってその環状の内部の空気、すなわち誘引空気吹出口６０近傍の空気を同一方向に誘引する。この際、誘引空気吹出口６０に連通する複数の誘引空気吸込口５８から空気が誘引され、誘引空気混合部６２にて混合されて誘引空気吹出口６０に順次送り込まれる。環状の気流と誘引空気とが開口部５７付近で合成され、発散の少ないスポット風として、中心軸５１方向より排出されるのである。
【００２４】
図３は、本発明の実施の形態１に係る支持台の断面図である。図４は、本発明の実施の形態１に係る支持台の分解図である。
【００２５】
図３、４に示すように、回動体４は、送風機２を支持する支持部５と、支持部の下部に固定された摺動部６とを備えている。
【００２６】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００２７】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００２８】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２９】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００３０】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００３１】
図５は、本発明の実施の形態１に係る支持台の断面図である。
【００３２】
図３、５に示すように、本体ケース３内には、基板部１９と、モータ２１と、第１の歯車２２と、第２の歯車２３とを備えている。
【００３３】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００３４】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００３５】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００３６】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００３７】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００３８】
また、回動体４は、送風機２を支持する支持部５と、支持部５の下部に固定された摺動部６とを備えている。摺動部６は、摺動部６から下方に延びた軸部１２と、回動体４の回動軸と同軸上に中心を有する円周上に支持部の下部から下方へ突出した複数の突起部２７とを備えている。
【００３９】
図６は、本発明の実施の形態１に係る支持台と送付機の斜視図である。
【００４０】
支持台１は、電源コード２０と電気的に接続され支持台１の上部から延びた中継コード２６を備えている。中継コード２６は、送風機２の接続端子部３０に電気的に接続可能である。
【００４１】
本実施の形態における特徴は、中継コード２６の長さである。具体的には、中継コード２６の長さは、支持台１の周縁部の上端に送風機２を置いた場合に、送風機２の重心が支持台１の周縁部の上端より外方に位置した状態で、中継コード２６によって送風機２が支持台１の上に自立する場合の中継コード２６の長さより短い。
【００４２】
例えば、図６に示すように、支持台１の周縁部の上端に送風機２を置いた場合に、支持台１の周縁部の上端と誘引空気吸込口５８の開口縁とが接触し、支持台１から延びる中継コード２６が引っ張られた状態で、送風機２が支持台１の上に自立する場合がある。これは、支持台１の周縁部の円環形状の上端と、誘引空気吸込口５８の円環形状の開口縁とは、２点で接触している。この状態で、送風機２の重心が支持台１の周縁部の上端より外方に位置した状態であるが、中継コード２６によって、支持台１の周縁部の内方へ引っ張られてバランスがとれ、送風機２が支持台１の上に自立した状態である。この状態は、不安定である為、少しバランスが崩れると、送風機２が支持台１から落下することが考えられる。
【００４３】
そこで、中継コード２６の長さを、この状態のように送風機２が支持台１の上に自立する中継コード２６の長さより短くする。これにより、支持台１の周縁部の上端に送風機２を置いた場合に、送風機２の重心が支持台１の周縁部の上端より内方に位置した状態、つまり支持台１の周縁部の上端全周に送風機２が乗った状態で、送風機２が支持台１の上に自立するので、送風機２が、支持台１の上部に不安定な状態で置かれることを抑制できる。
【００４４】
また、中継コード２６の長さは、支持台１の周縁部の上端に送風機２を置いた場合に、送風機２の重心が支持台１の周縁部の上端より外方に位置した状態で、中継コード２６によって支持台１と送風機２とが転倒する長さより短い。
【００４５】
例えば、図６に示すように、支持台１の周縁部の上端と誘引空気吸込口５８の開口縁とが、２点で接触し、送風機２の重心が支持台１の周縁部の上端より外方に位置した状態であるが、中継コード２６によって、支持台１の周縁部の内方へ引っ張られてバランスがとれ、送風機２が支持台１の上に自立する瞬間に、支持台１に比べ送風機２が重い場合には、この状態で送風機２と支持台１とが、転倒することが考えられる。
【００４６】
そこで、中継コード２６の長さを、この状態のように送風機２が支持台１の上に自立する瞬間に転倒する中継コード２６の長さより短くする。これにより、支持台１の周縁部の上端に送風機２を置いた場合に、支持台１と送風機２とが転倒せず、送風機２の重心が支持台１の周縁部の上端より内方に位置した状態で、送風機２が支持台１の上に自立するので、送風機２が、支持台１の上部に不安定な状態で置かれることを抑制できる。
【００４７】
また、中継コード２６の長さは、支持台１に送風機２を斜め下方に送風するように置いた場合に、送風機２の重心が支持台１の周縁部の上端より内方に位置した状態で、送風機２が支持台１の上に自立する長さより長い。
【００４８】
これにより、送風機２によって斜め下方に送風できるので、使い勝手が向上する。
【産業上の利用可能性】
【００４９】
送風により清涼感を与えたり空間内の空気循環を促したりする送風機の支持台として有用である。
【符号の説明】
【００５０】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５    回転軸
２６    中継コード
２７    突起部
３０    接続端子部
５１    中心軸
５２    送風側極
５３    吸込側極
５４    切断面
５５    第一フレーム
５６    第二フレーム
５７    開口部
５８    誘引空気吸込口
５９    空気吹出口
６０    誘引空気吹出口
【図１】
2017172365.tif 000003
【図２】
2017172365.tif 000004
【図３】
2017172365.tif 000005
【図４】
2017172365.tif 000006
【図５】
2017172365.tif 000007
【図６】
2017172365.tif 000008